(57)【要約】【課題】  本考案は多段式の押しスイッチを掲示し、押し素子により可撓を有する限定アームの手段を一体に形成し本考案の多段式の押しスイッチが部品数が少なくなり構造が簡易となり、生産及び組立てが容易となるなどの利点を持つ。【解決手段】  本考案の好ましい実施例は本体、弾性素子、押し素子を含み、前記押し素子は可撓を有する限定アームを一体に形成し軌跡区間と前記限定部の幾何形状によって前記押し素子を定義する移動経路は開始位置、第一段の下方向強制押し位置、押し位置、第二段の下方向強制押し位置を順に含む。【選択図】  図1
0003126111.tif 000002
【実用新案登録請求の範囲】
【請求項１】
本体（１０）を有し前記本体（１０）に収納スペースを設け、かつ前記収納スペースに付勢弾性を受ける弾性素子（２０）を設置し前記本体（１０）上に前記弾性素子（２０）と当接すると共に前記収納スペースを上下に移動する押し素子（３０）である多段式の押しスイッチであって、
前記押し素子（３０）は可撓を有する限定アーム（３２）を一体に形成し前記本体（１０）に前記押し素子（３０）の上下移動経路に対応し前記限定アーム（３２）の移動経路を有する軌跡区間（４０）で前記軌跡区間（４０）に限定部（４１）を設置し前記軌跡区間（４０）と前記限定部（４１）の幾何形状によって前記押し素子（３０）と限定アーム（３２）を定義する移動経路は開始位置、第一段の下方向強制押し位置、押し位置、第二段の下方向強制押し位置を順に含むことを特徴とする多段式の押しスイッチ。
【請求項２】
前記押し素子（３０）がスイッチ式のボタンであることを特徴とする請求項１に記載の多段式の押しスイッチ。
【請求項３】
前記押し素子（３０）は前記弾性素子（２０）と当接する下部（３３）と接続手段により前記下部（３３）を当接する上部（３５）を有し前記下部（３３）と上部（３５）は前記開始位置に開放状態となり、かつ前記下部（３３）と前記上部（３５）は前記押し位置に閉鎖状態となりクランプ区間を有することを特徴とする請求項１に記載の多段式の押しスイッチ。
【請求項４】
前記接続手段は前記下部（３３）の端部に一体に傾斜角で可撓を有する接続板（３４）を延ばすことを特徴とする請求項３に記載の多段式の押しスイッチ。
【請求項５】
前記押し素子（３０）は前記弾性素子（２０）と接続する位置決め部（３６）を有することを特徴とする請求項１若しくは２または３に記載の多段式の押しスイッチ。
【請求項６】
前記本体（１０）の収納スペースの側壁は前記押し素子（３０）の側壁と対向しレールの溝（１１）とガイド部（３１）を設置することを特徴とする請求項１若しくは２または３に記載の多段式の押しスイッチ。
【請求項７】
前記本体（１０）は前記押し素子（３０）を上下に移動させる開放面を有し前記本体（１０）が前記開放面箇所と前記押し素子（３０）側面に対応しレール（１４）とガイド溝（３７）を設置し、且つ前記レール（１４１）の上端に前記下部（３３）を限定するためのストッパー（４１）を設けることを特徴とする請求項３に記載の多段式の押しスイッチ。
【請求項８】
前記限定部（４１）は前記軌跡区間（４０）に凸設した高さを有し、かつ前記限定アーム（３２）は前記高さに対応し前記限定部（４１）に限定する限定端（３２１）を有することを特徴とする請求項１に記載の多段式の押しスイッチ。
【請求項９】
前記本体（１０）が前記軌跡区間（４０）に位置する側面は開放面で前記開放面はカバー（１２）を配置することを特徴とする請求項１に記載の多段式の押しスイッチ。
【請求項１０】
前記カバー（１２）と前記本体（１０）は対向し固定凸部（１２１）と固定孔（１３）を設置することを特徴とする請求項９に記載の多段式の押しスイッチ。
【考案の詳細な説明】
【技術分野】
【０００１】
本考案は多段式の押しスイッチに関し、特に前記押し素子により可撓を有する限定アームを一体に形成するものを指す。
【背景技術】
【０００２】
多段式の押しスイッチは一般のスイッチの用途以外に、上下部にクランプ区間を形成する構造設計によりクランプ機能を具備した掛け金部材となる。掛け金部材の基本的機能は二個の素子を相互に連結し、若しくは簡単な段階的操作でどちらか一個の素子を引き離す。一般的に扉の類に常用され、日用電化製品の扉には掛け金部材の装置があり、従来の掛け金部材の種類は多くかつ操作方法も統一されておらず、散見される掛け金部材は一般的に何れもプッシュ方式を採用しており、この操作方法で最初のプッシュ動作は二個の素子を連結する動作であり、二番目のプッシュ動作はその中の一個の素子を引き離す動作である。しかし良性の掛け金部材は操作が便利で、動作が明確であり、また外れ難い等といった特性を具備しており、掛け金部材の構成素子の構造設計は、当該掛け金部材が上記の優良特性を備えているか否かに直接影響する。
【０００３】
台湾特許公報第５６８１９７号「掛け金部材」特許では、挟型の掛け金部材を掲示しており、固定座の収納溝内に上下に位置を限定して滑走するスライド座を位置決めし、収納溝底辺部上方とスライド座下部表面に回転可能な作動バー及び上方へ支えるバネを位置決めし、かつ前記スライド座は固定座の収納溝内に二回のプッシュでもってワンサイクルして、上下の位置決めポイントを形成する。当該固定座底辺にピポットした作動バーは弾性変形特性を備え、かつ作動バー上部に二対のフローティング端を組み込み、前記二対の端部はスライド座の作動プレート両側表面に位置し、前記二対の端部は作動プレート両側に設けられた各々の凸部間にスライド及び位置決めの状態をなし、バネの弾性を利用して支え、スライド座は固定座の収納溝内で上下スライド動作を行い、以上によりプッシュ操作方法による掛け金部材を提供するのである。
【０００４】
台湾特許公報第２２１８８４号「クリッパーの構造改良」特許では、別の従来の掛け金部材を掲示しており、主に押し部と収納部から構成され、前記押し部はＴ字型で、その頂上部の圧し面には収納部を配して四角形を呈し、圧し面表面中央部には弧部のグルーブを呈し、前記押し部に直立したバネの位置決め座を連設しており、かつバネの位置決め座の真後ろに円形孔を貫通させ、前記円形孔下部の左右両縦方向に長方形の切欠きを設け、前記双方の長方形の切欠きの間に下方より上に向かって弾性の位置決めブロックを突出させると共に、バネの位置決め座の底にバネを定位置に収納する。収納部は正面及び背面にそれぞれ貫通孔を組み込み、かつその上部をバネ位置決め座収納用に貫通させ、その中でスライド用の位置決め孔が上下し、また位置決め孔前後の縁に長方形の切欠きを設ける。前記押し部のバネ位置決め座の円形孔上部に小型の位置決め部材を突出組み込みし、また、収納部の四角形の切欠きの一側に位置決め孔の内縁から外側に向けて定位切欠きを貫通させ、押し部を押し下げそらせると、小型位置決め部材が前記位置決め切欠きに嵌まり、押し部と収納部を円形孔と貫通孔が相互に貫通した状態を保つ。
【考案の開示】
【考案が解決しようとする課題】
【０００５】
本考案の主な目的は簡素化構造の多段式の押しスイッチを提供することである。
【課題を解決するための手段】
【０００６】
本考案が掲示する好ましい実施例では、収納スペースを設けた本体、付勢弾性を受ける弾性素子、前記弾性素子と当接すると共に前記収納スペースの上下に移動する押し素子を包括し、前記押し素子は可撓を有する限定アームを一体に形成し、前記本体内の軌跡区間と限定部の幾何形状によって前記押し素子を定義する移動経路は、開始位置、第一段の下方向強制押し位置、押し位置、第二段の下方向強制押し位置を順に含む。なお、本考案の別の好ましい実施例として、前記押し素子は前記弾性素子と当接する下部及び前記下部を当接する上部をも有し、前記下部と上部は前記開始位置で開放状態となり、また、前記下部と前記上部は前記押し位置では閉鎖状態となりクランプ区間を有する。
【考案の効果】
【０００７】
上記の手段により、本考案の多段式の押しスイッチは部品が少量で、動作が明確であり、生産及び組立が容易となる。
【考案を実施するための最良の形態】
【０００８】
本考案に関連する詳細説明及び技術内容は、図式と歩調を合わせて説明する。
【０００９】
図１並びに図２は、本考案の好ましい実施例としての外観立体図並びに構造分解概略図である。図示するように、本実施例には、本体１０、弾性素子２０、押し素子３０を含み、当該構造は下記に分けて説明する。その中で、本体１０には収納スペースを設け、かつ前記収納スペースに付勢弾性を受ける弾性素子２０を設置し、本体１０上に弾性素子２０と当接すると共に収納スペースを上下に移動する押し素子を設置し、前記押し素子３０には前記弾性素子２０と当接する位置決め部３６を具備し、本体１０の収納スペースの側壁は前記押し素子３０の側面と対向し、レールの溝１１及びガイド部３１を設置し、前記押し素子３０はガイド部３１及びレールの溝１１を利用して、本体１０の収納スペース内でスライドし、かつ押し素子３０は可撓を有する限定アーム３２を一体に形成し、前記本体１０に前記押し素子３０の上下移動経路に対応して前記限定アーム３２の移動経路である軌跡区間４０を提供し、前記軌跡区間４０に限定部４１を設置し、前記限定部４１は前記軌跡区間４０に凸設し高さを有し、かつ限定アーム３２は前記高さに対応し前記限定部４１に限定する限定端３２１を有し、本体１０は軌跡区間４０に位置する側面は開放面で、前記開放面にはカバー１２を配置し、カバー１２と本体１０は対向し固定凸部１２１と固定孔１３を設置する。
【００１０】
図５は本考案の別の外観立体概略図であり、押し素子３０には更に弾性素子２０と当接する下部３３を有し、下部３３の端部に一体に傾斜角で可撓を有する接続板３４を延ばし、接続板３４を利用して前記下部３３の上部３５及び前記弾性素子２０と当接する位置決め部３６を接続する。前記下部３３と上部３５は開始位置では開放状態となり、押し素子３０が本体１０内を移動すると、上部３５は接続板３４を中心として下部３３に接近して閉鎖状態となり、クランプ区間を有する。
【００１１】
図４Ａ乃至図４Ｃは、本考案の好ましい実施例である応用例図であり、フックするものＡは経路Ｐに沿って押し素子３０の下部３３に向かって推進し下部３３と接触すると、押し素子３０は本体１０の底端へと移動する。押し素子３０が引き続き本体１０の底端を移動するにつれて、上部３５が本体１０の収納スペー内に後退し、下部３３へと接近して閉鎖状態となり、クランプ空間を有する。
【００１２】
図３Ａ乃至図３Ｅ並びに図４Ａ乃至図４Ｃは、本考案の好ましい実施例である連続動作概略図並びに応用例図であり、押し素子３０はガイド部３１とレールの溝１１を利用して本体１０の収納スペース内をスライドし、押し素子３０が本体１０の収納スペース内をスライドすると、限定部４１が前記軌跡区間４０に凸設し高さを有し、かつ限定アーム３２は前記高さに対応し前記限定部４１に限定する限定端３２１を有し、限定端３２１は軌跡区間４０と限定部４１の幾何形状によって前記押し素子３０と限定アーム３２の移動経路を定義する。押し素子３０と減退アーム３２が開始位置にあると（図３Ａ、図４Ａ参照）、下部３３と上部３５は開放状態になる。押し素子３０と限定アーム３２に力を加えて第一段下方向強制押し位置に移動し、上部３５は本体１０内に後退し、下部３３へと接近し（図４Ｂ参照）、第一段下方向強制押し位置に到達すると、下部３３と上部３５とは閉鎖状態になり（図３Ｂ参照）、加力が解かれると限定端３２１は限定部４１の幾何形状によって押し素子３０と限定アーム３２を弾性素子２０が発生する推力によって移動させると共に圧し位置に位置決めし（図３Ｃ、図４Ｃ参照）、下部３３と上部３５とは閉鎖状態になりクランプ空間を有する。再度力を加えて押し素子３０と限定アーム３２を圧し位置から離し、第二段下方向強制押し位置に移動させ（図３Ｄ参照）、加力が解かれる、限定端３２１は前記限定部４１の幾何形状により、押し素子３０を弾性素子２０が提供する推力により開始位置方向に移動させ、上部３５は本体１０をスライドし、下部３３は引き離し動作を呈する（図３Ｅ参照）。
【００１３】
図６は本考案の別の好ましい実施例である構造分解概略図であり、多段式の押しスイッチの押し素子３０ａはスイッチ式のボタンとなり得る。
【００１４】
図７は本考案の別の好ましい実施例である外観立体概略図であり、主な実施方法は前記にて説明済みであり、そのうち本体１０ｂには押し素子３０ｂを上下移動させる開放面を有し、かつ前記本体１０ｂは前記開放面箇所にあって前記押し素子３０ｂの側面に対向してレール１４とガイド溝３７が設置され、また前記レール１４上端に前記下部３３を限定するためのストッパー１４１を設け、前期押し素子３０ｂがガイド溝３７とレール１４を利用して前記本体１０ｂの収納スペース内を上下移動し、かつ前記ストッパー１４１が前記下部３３の上部縁を押さえることにより、前記押し素子３０ｂを前記本体１０ｂの収納スペースから離脱させない。
【００１５】
以上の記述は本考案の好ましい実施例に過ぎず、これをもって本考案の実施範囲を限定するものではない。即ち、本考案が申請する特許範囲の内容所作の均一的変化若しくは修正についても、全て本考案による技術の範囲内とする。
【図面の簡単な説明】
【００１６】
【図１】本考案の好ましい実施例である外観立体概略図。
【図２】本考案の好ましい実施例構造分解概略図。
【図３Ａ】本考案の好ましい実施例である第１の連続動作概略図。
【図３Ｂ】本考案の好ましい実施例である第２の連続動作概略図。
【図３Ｃ】本考案の好ましい実施例である第３の連続動作概略図。
【図３Ｄ】本考案の好ましい実施例である第４の連続動作概略図。
【図３Ｅ】本考案の好ましい実施例である第５の連続動作概略図。
【図４Ａ】本考案の好ましい実施例である第１の応用例図。
【図４Ｂ】本考案の好ましい実施例である第２の応用例図。
【図４Ｃ】本考案の好ましい実施例である第３の応用例図。
【図５】本考案の好ましい実施例外観立体概略図。
【図６】本考案の好ましい実施例構造分解概略図。
【図７】本考案の好ましい実施例外観立体概略図。
【符号の説明】
【００１７】
１０  本体
１１  レールの溝
１２  カバー
１２１  固定凸部
１４  レール
２０  弾性素子
３０  押し素子
３１  ガイド部
３２  限定アーム
３３  下部  
３５  上部
３６  位置決め部
３７  ガイド溝
４０  軌跡区間
４１  限定部
【図１】
0003126111.tif 000003
【図２】
0003126111.tif 000004
【図３Ａ】
0003126111.tif 000005
【図３Ｂ】
0003126111.tif 000006
【図３Ｃ】
0003126111.tif 000007
【図３Ｄ】
0003126111.tif 000008
【図３Ｅ】
0003126111.tif 000009
【図４Ａ】
0003126111.tif 000010
【図４Ｂ】
0003126111.tif 000011
【図４Ｃ】
0003126111.tif 000012
【図５】
0003126111.tif 000013
【図６】
0003126111.tif 000014
【図７】
0003126111.tif 000015